(57)【特許請求の範囲】
【請求項１】
電源オフから電源オンまでの時間、又は印刷ジョブの終了時刻から次の印刷ジョブの開始時刻までの時間を計算する時間計算手段と、
装置内の環境温度及び装置内の環境湿度を検出する検出手段と、
前記時間計算手段により計算された時間が所定時間を経過してなく、又は、前記検出手段により検出された装置内の環境温度及び装置内の環境湿度の両方がそれぞれ所定の閾値を超えていないときは、第１の空間周波数の画像スクリーンを生成し、前記時間計算手段により計算された時間が所定時間を経過し、かつ、前記検出手段により検出された装置内の環境温度及び装置内の環境湿度の少なくとも一方が所定の閾値を超えたときは、前記第１の空間周波数より低い第２の空間周波数の画像スクリーンを生成する画像スクリーン生成手段と、
前記画像スクリーン生成手段により生成された画像スクリーンを用いて、電荷輸送層上に保護層が形成された感光体に画像を形成する画像形成手段と、
を備えた画像形成装置。
【請求項２】
前記画像スクリーン生成手段は、前記画像形成手段による画像形成が開始されて所定時間が経過し、かつ、所定数の印刷ジョブが実行されるまで、前記第２の空間周波数の画像スクリーンを生成する
請求項１に記載の画像形成装置。
【請求項３】
前記画像スクリーン生成手段は、前記画像スクリーンとして、印字処理方向に沿って複数のラインが形成されたライン画像スクリーンを生成する
請求項２に記載の画像形成装置。
【請求項４】
前記画像スクリーン生成手段は、色毎に形成される画像に対して、転写される位置が中間転写体の搬送方向の下流側になるに従って空間周波数が低くなる画像スクリーンを生成する
請求項１から請求項３のいずれか１項に記載の画像形成装置。
【請求項５】
前記画像スクリーン生成手段は、前記画像形成手段による画像形成が開始されて所定時間が経過し、かつ、所定数の印刷ジョブが実行されるまで、黒色画像形成用の画像スクリーンの空間周波数を、他色画像形成用の画像スクリーンの空間周波数よりも低くする
請求項１に記載の画像形成装置。
【発明の詳細な説明】
【技術分野】
【０００１】
本発明は、画像形成装置に関する。
【背景技術】
【０００２】
従来、感光体表面を帯電させること無く感光体を回転させつつクリーニングブレードのめくれが生じない程度の微量のトナーを感光体の表面に供給し、感光体表面に生成した放電生成物を前記トナーとともにクリーニングブレードで掻き取る方法が開示されている（特許文献１参照）。
【０００３】
中間転写体と感光体とを周速差を付与して回転させた状態で接触させ、中間転写体で感光体の表面を摺擦、研磨し、感光体表面に生成した放電生成物を除去する技術が開示されている（特許文献２参照）。
【０００４】
中間転写体で感光体の表面を摺擦、研磨する画像形成装置において、感光体の表層にアリレート樹脂を含有した材質を用いる方法が開示されている（特許文献３参照）。
【０００５】
プリントジョブが終了する時刻から、次のプリントジョブが開始するまでの時間を計測し、その時間に応じて感光体表面を研磨する前回転処理の実効時間を制御する技術が開示されている（特許文献４参照）。
【０００６】
基体と光導電体層との間に電気発熱抵抗体層を形成し、４０〜８０℃に通電加熱し、感光体に疲労回復熱を与える技術が開示されている（特許文献５参照）。
【０００７】
現像剤にハイドロタルサイト化合物を配合し、前記ハイドロタルサイト化合物によって感光体表面の放電生成物を吸着除去する技術が開示されている（特許文献６参照）。
【特許文献１】特開２００３−００５６０８号公報
【特許文献２】特開平４−３０５６６６号公報
【特許文献３】特開２００４−０９３８６４号公報
【特許文献４】特開２００７−５２２１１号公報
【特許文献５】特公昭４１−６８６９号公報
【特許文献６】特開２００３−３２３０９５号公報
【発明の開示】
【発明が解決しようとする課題】
【０００８】
本発明は、コストを抑えつつ画像流れの少ない画像を形成することができる画像形成装置を提供することを目的とする。
【課題を解決するための手段】
【０００９】
請求項１に係る発明である画像形成装置は、電源オフから電源オンまでの時間、又は印刷ジョブの終了時刻から次の印刷ジョブの開始時刻までの時間を計算する時間計算手段と、装置内の環境温度及び装置内の環境湿度を検出する検出手段と、前記時間計算手段により計算された時間が所定時間を経過してなく、又は、前記検出手段により検出された装置内の環境温度及び装置内の環境湿度の両方がそれぞれ所定の閾値を超えていないときは、第１の空間周波数の画像スクリーンを生成し、前記時間計算手段により計算された時間が所定時間を経過し、かつ、前記検出手段により検出された装置内の環境温度及び装置内の環境湿度の少なくとも一方が所定の閾値を超えたときは、前記第１の空間周波数より低い第２の空間周波数の画像スクリーンを生成する画像スクリーン生成手段と、前記画像スクリーン生成手段により生成された画像スクリーンを用いて、電荷輸送層上に保護層が形成された感光体に画像を形成する画像形成手段と、を備えている。
【００１１】
請求項２に係る発明は、請求項１に記載の画像形成装置であって、前記画像スクリーン生成手段は、前記画像形成手段による画像形成が開始されて所定時間が経過し、かつ、所定数の印刷ジョブが実行されるまで、前記第２の空間周波数の画像スクリーンを生成する。
【００１２】
請求項３に係る発明は、請求項２に記載の画像形成装置であって、前記画像スクリーン生成手段は、前記画像スクリーンとして、印字処理方向に沿って複数のラインが形成されたライン画像スクリーンを生成する。
【００１３】
請求項４に係る発明は、請求項１から請求項３のいずれか１項に記載の画像形成装置であって、前記画像スクリーン生成手段は、色毎に形成される画像に対して、転写される位置が中間転写体の搬送方向の下流側になるに従って空間周波数が低くなる画像スクリーンを生成する。
【００１４】
請求項５に係る発明は、請求項１に記載の画像形成装置であって、前記画像スクリーン生成手段は、前記画像形成手段による画像形成が開始されて所定時間が経過し、かつ、所定数の印刷ジョブが実行されるまで、黒色画像形成用の画像スクリーンの空間周波数を、他色画像形成用の画像スクリーンの空間周波数よりも低くする。
【発明の効果】
【００１５】
請求項１に係る発明によれば、画像流れの少ない画像を形成することができる。
【００１６】
また、請求項１に係る発明によれば、画像流れが発生しそうなときに、第１の空間周波数より低い第２の空間周波数の画像スクリーンを用いて画像を形成し、画像流れの少ない画像を形成することができる。
【００１７】
請求項２に係る発明によれば、画像形成環境が良くなるまで、第１の空間周波数より低い第２の空間周波数の画像スクリーンを用いて画像を形成し、画像流れの少ない画像を形成することができる。
【００１８】
請求項３に係る発明によれば、ライン画像スクリーンを生成しない場合に比べて、画像流れを一層抑制することができる。
【００１９】
請求項４に係る発明によれば、画像コントラストの低下を抑制することができる。
【００２０】
請求項５に係る発明によれば、色間の画像モアレを除去し、黒の線再現性を確保することができる。
【発明を実施するための最良の形態】
【００２１】
以下、本発明の好ましい実施の形態について図面を参照しながら詳細に説明する。
【００２２】
図１は、本発明の実施の形態に係る画像形成装置の構成を示す図である。画像形成装置は、本体ハウジング２１内において横方向に配列された４色（本実施の形態ではブラック（Ｋ）、イエロ（Ｙ）、マゼンタ（Ｍ）、シアン（Ｃ））の画像をそれぞれ形成する作像エンジン２２と、その上方に各作像エンジン２２の配列方向に沿って循環搬送される中間転写ベルト２３０を含むベルトモジュール２３と、本体ハウジング２１の下方に用紙等の記録媒体（図示せず）が収容される記録媒体供給カセット２４と、垂直方向に配置され、記録媒体供給カセット２４からの記録媒体の搬送路となる記録媒体搬送路２５と、を備えている。
【００２３】
各作像エンジン２２は、中間転写ベルト２３０の循環方向上流側から順に、例えばブラック用、イエロ用、マゼンタ用、シアン用（配列は必ずしもこの順番とは限らない）のトナー像を形成するものであり、各感光体ユニット３０と、各現像ユニット３３と、各作像エンジン２２で共通して使用する１つの露光ユニット４０とを備えている。
【００２４】
感光体ユニット３０は、例えば、電荷輸送層（ＣＴ層）上に保護層であるオーバーコート層（ＯＣ層）が形成された感光体ドラム３１と、この感光体ドラム３１を予め帯電する帯電装置３２と、感光体ドラム３１上の残留トナーを除去するクリーニング装置３４とを一体的にサブカートリッジ化したものである。
【００２５】
また、現像ユニット３３は、帯電された感光体ドラム３１上に露光ユニット４０にて露光形成された静電潜像を対応する色トナー（本実施の形態では例えば負極性）で現像するものであり、例えば感光体ユニット３０からなるサブカートリッジと一体化されてプロセスカートリッジ（所謂ＣＲＵ：Ｃｕｓｔｏｍｅｒ  Ｒｅｐｌａｃｅａｂｌｅ  Ｕｎｉｔ）を構成している。
【００２６】
尚、感光体ユニット３０を現像ユニット３３から切り離して単独のＣＲＵとしてもよい。また、トナーカートリッジ３５（３５ａ〜３５ｄ）は、各現像ユニット３３に各色成分トナーを補給する。なお、トナーは外添剤としてＳｉＯ２粒子を含有している。
【００２７】
一方、露光ユニット４０は、ユニットケース４１内に例えば四つの半導体レーザ（図示せず）、一つのポリゴンミラー４２、結像レンズ（図示せず）及び各感光体ユニット３０に対応するそれぞれのミラー（図示せず）を格納し、各色成分の半導体レーザからの光をポリゴンミラー４２で偏向走査し、結像レンズ、ミラーを介して対応する感光体ドラム３１上の露光ポイントに光像を導くようにしたものである。
【００２８】
ベルトモジュール２３は、例えば一対の張架ロール（一方が駆動ロール）２３１，２３２間に中間転写ベルト２３０を掛け渡したものである。各感光体ユニット３０の感光体ドラム３１に対応した中間転写ベルト２３０の裏面には、一次転写装置（本例では一次転写ロール）５１が配設されている。この一次転写装置５１にトナーの帯電極性と逆極性の電圧が印加されることで、感光体ドラム３１上にトナー像が中間転写ベルト２３０側に静電的に転写される。更に、中間転写ベルト２３０の最下流の作像エンジン２２ｄの下流側の張架ロール２３２に対応した部位には、二次転写装置５２が配設されている。二次転写装置５２は、中間転写ベルト２３０上の一次転写像を記録媒体に二次転写（一括転写）するようになっている。
【００２９】
二次転写装置５２は、中間転写ベルト２３０のトナー像保持面側に圧接配置される二次転写ロール５２１と、中間転写ベルト２３０の裏面側に配置されて二次転写ロール５２１の対向電極をなすバックアップロール（本例では張架ロール２３２を兼用）とを備えている。そして、二次転写ロール５２１は接地されており、また、バックアップロール（張架ロール２３２）にはトナーの帯電極性と同極性のバイアスが印加されている。
【００３０】
更にまた、中間転写ベルト２３０の最上流の作像エンジン２２の上流側にはベルトクリーニング装置５３が配設されている。ベルトクリーニング装置５３は、中間転写ベルト２３０上の残留トナーを除去する。
【００３１】
また、記録媒体供給カセット２４には記録媒体をピックアップするフィードロール６１が設けられ、このフィードロール６１の直後には記録媒体を送出するテイクアウェイロール６２が配設されると共に、二次転写部位の直前に位置する記録媒体搬送路２５には記録媒体を所定のタイミングで二次転写部位へ供給するレジストレーションロール（レジストロール）６３が配設されている。一方、二次転写部位の下流側に位置する記録媒体搬送路２５には定着装置６６が設けられ、この定着装置６６の下流側には記録媒体排出用の排出ロール６７が設けられており、本体ハウジング２１の上部に形成された排出部６８に排出記録媒体が収容されるようになっている。
【００３２】
更に、本実施の形態では、本体ハウジング２１の側方には手差し供給装置（ＭＳＩ）７１が設けられている。手差し供給装置７１上の記録媒体はフィードロール７２及びテイクアウェイロール６２にて記録媒体搬送路２５に向かって送出されるようになっている。
【００３３】
更にまた、本体ハウジング２１には両面記録用ユニット７３が付設されている。両面記録用ユニット７３は、記録媒体の両面に画像記録を行う両面モード選択時に、片面記録済みの記録媒体を排出ロール６７を逆転させ、かつ、入口手前の案内ロール７４にて内部に取り込み、適宜数の搬送ロール７７にて内部の記録媒体戻し搬送路７６に沿って記録媒体を搬送し、再度レジストロール６３側へと供給するものである。
【００３４】
図２は、本発明に用いられるクリーニング装置３４の一例を示す模式断面図である。クリーニング装置３４は、残留トナーが収容され且つ感光体ドラム３１に対向して開口するクリーニングケース３４１を有している。このクリーニングケース３４１の開口下縁には、感光体ドラム３１に接触配置されるクリーニングブレード３４２が図示外のブラケットを介して取り付けられている。一方、クリーニングケース３４１の開口上縁には、感光体ドラム３１との間が気密に保たれるフィルムシール３４４が取り付けられている。尚、搬送オーガ３４５は、クリーニングケース３４１内に収容された廃トナーを側方の廃トナー容器に導いている。
【００３５】
図３は、画像形成装置の制御系の要部構成図である。画像形成装置は、装置内の環境状態として温度及び相対湿度を検出する環境センサ８１と、ジョブの開始及び終了を制御する機器制御部８２と、画像スクリーンを生成する画像スクリーン生成部８３と、２００ＤＰＩ及び１５０ＤＰＩのそれぞれの画像スクリーンを生成するためのデータ（画像スクリーンデータ）を予め記憶している記憶部８４と、を備えている。
【００３６】
画像スクリーン生成部８３は、記憶部８４に記憶されている画像スクリーンデータを選択して読み出すことにより、２００ＤＰＩ又は１５０ＤＰＩの画像スクリーンを生成する。
【００３７】
以上のように構成された画像形成装置は、次のように処理を実行する。
【００３８】
（画像スクリーンの空間周波数を低下させる場合）
最初に、機器制御部８２は、印刷指示命令に基づいて印刷ジョブを開始する。画像スクリーン生成部８３は、機器制御部８２によって印刷ジョブが開始されると、２００ＤＰＩ（dots per inch）の画像スクリーンを生成する。
【００３９】
次に、印刷ジョブが終了して所定時間（例えば６時間）経過後、画像形成装置内が温度２７度、相対湿度８０％の環境、すなわち高温多湿の環境になったとする。
【００４０】
図４は、画像スクリーン生成ルーチンを示すフローチャートである。
【００４１】
ステップＳ１では、機器制御部８２は、今回新たな印刷ジョブを受信したか否かを判定し、印刷ジョブを受信するまで待機して、印刷ジョブを受信するとステップＳ２に進む。
【００４２】
ステップＳ２では、機器制御部８２は、前回の印刷ジョブの終了から今回の印刷ジョブ開始までのジョブ不実行時間を計算して、ステップＳ３に進む。ここでは、機器制御部８２は、電源がオフになってから再び電源がオンになるまでの時間を計算してもよい。
【００４３】
ステップＳ３では、機器制御部８２は、ステップＳ２で計算されたジョブ不実行時間が所定時間（本実施形態では６時間）を超えているか否かを判定し、超えているときはステップＳ４に進み、超えてないときはステップＳ６に進む。
【００４４】
ステップＳ４では、機器制御部８２は、環境センサ８１の検出結果に基づいて、画像形成装置内の環境が高温多湿であるか否かを判定し、高温多湿環境であるときはステップＳ５に進み、高温多湿環境でないときはステップＳ６に進む。本実施形態では、装置内の環境は、温度２７度、相対湿度８０％であるので、高温多湿環境である。
【００４５】
ここで、高温多湿環境とは、例えば、測定時の温度及び相対湿度によって特定される点が、温度及び相対湿度で特定される飽和水蒸気曲線の飽和領域にある場合をいう。よって、装置内が高温多湿環境であるか否かについて機器制御部８２が判定できるのであれば、環境センサ８１は温度、相対湿度のいずれか一方のみを検知してもよい。
【００４６】
ステップＳ５では、機器制御部８２は、１５０ＤＰＩの画像スクリーンを生成するように画像スクリーン生成部８３に指示し、処理を終了する。画像スクリーン生成部８３は、機器制御部８２からの指示を受けて１５０ＤＰＩの画像スクリーンを生成する。露光ユニット４０は、画像スクリーン生成部８３で生成された１５０ＤＰＩの画像スクリーンを用いて、感光体ユニット３０に画像を形成する。この結果、ＣＴＦ（コントラスト伝達関数）の低下が抑制され、画像流れのない画像が得られる。
【００４７】
ここで、ＣＴＦとは、プリントサンプル画像とスキャナで読み取ったときの黒色部の線濃度をＤmax、線間における用紙の白色部の濃度をＤminとすると、
ＣＴＦ＝［（Ｄmax−Ｄmin）／（Ｄmax＋Ｄmin）］×１００
で定義される。
【００４８】
そして、画像スクリーン生成部８３は、作像エンジン２２による画像形成が開始されて所定時間が経過し、かつ、所定数の印刷ジョブが実行されるまでは、この１５０ＤＰＩの画像スクリーンを生成する。その後、所定数の印刷ジョブが実行されると、機器制御部８２は、２００ＤＰＩの画像スクリーンを生成するように指示する。画像スクリーン生成部８３は、機器制御部８２からの指示を受けると、２００ＤＰＩの画像スクリーンを生成する。
【００４９】
一方、ステップＳ６では、機器制御部８２は、２００ＤＰＩの画像スクリーンを生成するように画像スクリーン生成部８３に指示し、処理を終了する。画像スクリーン生成部８３は、機器制御部８２からの指示を受けて２００ＤＰＩの画像スクリーンを生成する。露光ユニット４０は、画像スクリーン生成部８３で生成された２００ＤＰＩの画像スクリーンを用いて、感光体ユニット３０に画像を形成する。
【００５０】
図５は２００ＤＰＩの画像スクリーンを生成するときの潜像プロファイルと印刷スレッショールドの関係を示す図である。同図に示すように、２００ＤＰＩの場合、露光から現像時間の間（実験では５０−１００ｍｓ）に潜像が広がり、ピーク電位も低下する。これを現像すると、潜像のぼけに従って像流れが可視化されてしまう。
【００５１】
図６は１５０ＤＰＩの画像スクリーンを生成するときの潜像プロファイルと印刷スレッショールドの関係を示す図である。同図に示すように、１５０ＤＰＩの場合、相対的に潜像の時間に対する拡散度が低く、現像段階での現像も流れにくくなる。
【００５２】
このように、上記画像形成装置は、ジョブ不実行時間が所定時間を経過し、かつ装置内が高温多湿環境であるときは、１５０ＤＰＩの画像スクリーンを用いて画像を形成し、ジョブ不実行時間が所定時間を経過していないとき又は装置内が高温多湿環境でないときは、通常の２００ＤＰＩの画像スクリーンを用いて画像を形成する。
【００５３】
【表１】
0004893547.tif 000002
【００５４】
表１は、様々な画像スクリーンを用いて画像を形成したときのＣＴＦ、画像流れが発生しかた否かの実験結果を示す図である。表１の比較実験及び実施例１に示すように、２００ＤＰＩの場合はＣＴＦが０．１から０．２になり、画像流れが発生した。しかし、１５０ＤＰＩの場合はＣＴＦが０．４になり、画像流れは発生しなかった。
【００５５】
（ラインスクリーンを使用する場合）
なお、画像スクリーン生成部８３は、１５０ＤＰＩの画像スクリーンを生成する代わりに、ライン画像スクリーンを生成してもよい。
【００５６】
図７は、記憶部８４に記憶されている画像スクリーンデータを示す図である。同図（ｄ）は２００ＤＰＩの画像スクリーンである。同図（ａ）及び（ｂ）の画像スクリーンは、同図（ｄ）のものを傾斜させたものであり、１７５ＤＰＩである。同図（ｃ）はランダムな誤差拡散画像スクリーンである。同図（ｄ）は、印字プロセス方向（主走査方向）に沿って各々のラインが形成されたライン画像スクリーン（１７５ＤＰＩ）である。
【００５７】
画像スクリーン生成部８３は、ステップＳ５のときに、記憶部８４からライン画像スクリーンデータを読み出し、図６（ｅ）に示すライン画像スクリーンを生成することができる。ライン画像スクリーンは、入力エリアカバレッジに対してドット成長が一方向であるため、ＣＴＦが低下しににくく、濃度低下を起こしにくい。
【００５８】
上述した表１の実施例２に示すように、実験では１７５ＤＰＩのライン画像スクリーンを用いて潜像を形成した。このとき、ＣＴＦの低下は少なく（０．３５）、画像流れは発生しなかった。
【００５９】
（多重転写プロセスの場合１）
本実施の形態に係る画像形成装置は、図１に示すように、ＣＭＹＫの４色に対応する画像を中間転写ベルト２３０に転写する多重転写プロセス形式である。このような画像形成装置では、中間転写ベルト２３０の搬送方向の下流側にある作像エンジン２２は、その上流側にある作像エンジン２２に比べて、トナーの再転写現象により、トナーの再転写現象により感光体ドラム３１上のトナー量が増加する。転写によりトナーは中間転写体に転写されるが、ＳｉＯ２粒子は感光体に残留するため、この結果、増加したトナー外添剤のＳｉＯ２粒子の介在により、ブレードの掻き取り能力が相対的に低下してしまう。
【００６０】
図８は、各作像エンジン２２（エンジン１〜４）の回収トナー量を示す図である。ここで、エンジン１〜４は、中間転写ベルト２３０の搬送方向の最上流から最下流にあるそれぞれの作像エンジン２２を示している。同図に示すように、下流側の作像エンジン２２になるほど、回収トナー量が増加しており、放電生成物を除去する能力が悪化してしまう問題がある。
【００６１】
そこで、本実施形態に係る画像形成装置は、各作像エンジン２２で現像される画像について、画像コントラストの低下を抑制すべく、作像エンジン２２が中間転写ベルト２３０の搬送方向の最上流から最下流になるに従って空間周波数が低くなるような画像スクリーンを用いて画像を形成する。
【００６２】
上述した表１の実施例３に示すように、作像エンジン２２の後段（各色の画像の形成位置が中間転写ベルト２３０の下流側）になるに従って、１７５、１６０、１５０、１４０ＤＰＩの画像スクリーンを用いると、ＣＴＦは０．３５から０．４になり、画像流れは発生しなかった。
【００６３】
（多重転写プロセスの場合２）
また、本実施の形態に係る画像形成装置は、カラー画像を形成する色間の画像モアレを除去し、黒色の線再現性を確保すべく、ＹＭＣのそれぞれの画像については図４（ｃ）又は（ｄ）に示す画像スクリーンを用い、Ｋの画像については図４（ａ）又は（ｂ）に示す画像スクリーンを用いてもよい。
【００６４】
上述した表１の実施例４に示すように、Ｋについては１５０ＤＰＩ、Ｍ及びＣについては１７５ＤＰＩ、Ｙについては誤差拡散用の画像スクリーンをそれぞれ用いると、黒画像のＣＴＦは０．４になり、画像流れは発生しなかった。
【００６５】
なお、本発明は、上述した実施の形態に限定されるものではなく、特許請求の範囲に記載された範囲内で設計上の変更をされたものにも適用可能であるのは勿論である。
【図面の簡単な説明】
【００６６】
【図１】本発明の実施の形態に係る画像形成装置の構成を示す図である。
【図２】本発明に用いられるクリーニング装置の一例を示す模式断面図である。
【図３】画像形成装置の制御系の要部構成図である。
【図４】画像スクリーン生成ルーチンを示すフローチャートである。
【図５】２００ＤＰＩの画像スクリーンを生成するときの潜像プロファイルと印刷スレッショールドの関係を示す図である。
【図６】１５０ＤＰＩの画像スクリーンを生成するときの潜像プロファイルと印刷スレッショールドの関係を示す図である。
【図７】記憶部に記憶されている画像スクリーンデータを示す図である。
【図８】各作像エンジンの回収トナー量を示す図である。
【符号の説明】
【００６７】
２２  作像エンジン
３０  感光体ユニット
３３  現像ユニット
４０  露光ユニット
８１  環境センサ
８２  機器制御部
８３  画像スクリーン生成部
８４  記憶部
２３０  中間転写ベルト
【図１】
0004893547.tif 000003
【図２】
0004893547.tif 000004
【図３】
0004893547.tif 000005
【図４】
0004893547.tif 000006
【図７】
0004893547.tif 000007
【図８】
0004893547.tif 000008
【図５】
0004893547.tif 000009
【図６】
0004893547.tif 000010